(57)【特許請求の範囲】
【請求項１】
電子部材を内蔵する筐体を有し、
前記筐体が、他の機器を前記電子部材に対して電気的に接続するためのコネクタ接続部を備えた一の側面と、前記一の側面に対して左右に位置する他の側面とを有するものであり、
前記他の側面に、前記一の側面に対して左右方向に突出した下方に延びる案内リブが設けられており、
前記案内リブが、前記コネクタ接続部に相当する領域を上方から覆う位置から下方に向けて延びるように形成され、
案内リブが設けられた側面に、前記コネクタ接続部側に向けて下り勾配で前記案内リブと交差し、前記筐体の外側に向けて突出した補強リブが設けられており、
前記案内リブが、前記補強リブよりも前記筐体の側面から外側に向けて突出していることを特徴とする車両用電子機器。
ていることを特徴とする車両用電子機器。
【請求項２】
車両側に前記筐体を固定するための固定部が、前記筐体の天面側に形成されており、
前記案内リブが、前記固定部から連続するように形成されていることを特徴とする請求項１に記載の車両用電子機器。
【発明の詳細な説明】
【技術分野】
【０００１】
本発明は、結露等による水の落下が懸念される部位に取り付けられる車両用電子機器に関する。
【背景技術】
【０００２】
従来より、下記特許文献１に開示されているような取り付け構造が、車両用電子機器の取り付けのために採用されている。このような取り付け構造を採用することにより、機器取付筐体に形成された開口部に電子機器を装着すると共に、前述した機器取付筐体に形成された保持用爪部やストッパ部によって開口部に装着された電子機器が脱落しないよう、しっかりと保持することが可能となる。
【先行技術文献】
【特許文献】
【０００３】
【特許文献１】特開２００７−１７６２５３号公報
【発明の概要】
【発明が解決しようとする課題】
【０００４】
しかしながら、上述した特許文献１に開示の取り付け構造により車両用電子機器を取り付けた場合は、上方にエアコンダクトなどの結露が発生する部品が存在すると、この部品から落下してきた水が電子機器に設けられたコネクタ接続部に付着するなどして不具合の原因となってしまうという問題があった。また、コネクタ接続部に対する水の付着を防止するために、コネクタ接続部を保護するためのシートやカバーを取り付けることも可能であるが、かかる構成とした場合は、シートなどを設ける分だけ製造コストが上昇してしまったり、電子機器の取り付けに手間を要するという問題があった。
【０００５】
そこで、本発明は、結露が発生する部品等の下方に配されたとしても、コネクタ接続部に水が付着するのを防止することができると共に、製造コストや取り付け作業に要する手間を最小限に抑制可能な車両用電子機器の提供を目的とした。
【課題を解決するための手段】
【０００６】
上述した課題を解決すべく提供される本発明の車両用電子機器は、電子部材を内蔵する筐体を有し、前記筐体が、他の機器を前記電子部材に対して電気的に接続するためのコネクタ接続部を備えた一の側面と、前記一の側面に対して左右に位置する他の側面とを有するものである。本発明の車両用電子機器は、前記他の側面に、前記一の側面に対して左右方向に突出した下方に延びる案内リブが設けられており、前記案内リブが、前記コネクタ接続部に相当する領域を上方から覆う位置から下方に向けて延びるように形成されていることを特徴としている。
【０００７】
また、本発明の車両用電子機器は、車両側に前記筐体を固定するための固定部が、前記筐体の天面側に形成されており、前記案内リブが、前記固定部から連続するように形成されていることを特徴とするものであってもよい。
【０００８】
本発明の車両用電子機器は、案内リブが設けられた側面に、前記コネクタ接続部側に向けて下り勾配で前記案内リブと交差し、前記筐体の外側に向けて突出した補強リブが設けられているものであってもよい。かかる構造とした場合は、前記案内リブが、前記補強リブよりも前記筐体の側面から外側に向けて突出していることが望ましい。
【発明の効果】
【０００９】
本発明の車両用電子機器は、筐体を構成する側面のうちコネクタ接続部が設けられた面の左右に位置する他の側面に、案内リブが形成されている。また、この案内リブは、コネクタ接続部が設けられた領域を上方から覆う位置から下方に延びるように形成されている。したがって、エアコンダクトなどのような結露が発生する部品等の下方に本発明の車両用電子機器が配されたとしても、案内リブが水除けとして機能し、コネクタ接続部に水が付着するのを防止することができる。また、案内リブが下り勾配を有するものであるため、上方から落下してきた水滴をスムーズに排除することが可能である。
【００１０】
また、本発明の車両用電子機器では、上方から落下してきた水がコネクタ接続部に到達することなく、案内リブによって下方に案内されるため、コネクタ接続部を防水するためのシートを取り付ける等の防水対策を別途行う必要がない。したがって、本発明によれば、防水対策のためにシート類を準備する必要がない分だけ製造コストを抑制できると共に、車両用電子機器の取り付け作業をより一層簡便なものとすることができる。
【００１１】
ここで、車両側に前記筐体を固定するための固定部が、筐体の天面側に設けられている場合は、結露等によって発生した水が、この固定部に落下したり、固定部を伝うなどして筐体側に至る可能性がある。
【００１２】
そこで、かかる可能性を回避すべく、本発明では固定部をコネクタ接続部を備えた側面から離れる方向に延びるように形成し、案内リブが、固定部から連続するように形成されている。これにより、固定部に落下等してきた水が案内リブに沿って流れ、コネクタ接続部に至るのを防止することができる。
【００１３】
本発明の車両用電子機器は、上述したように案内リブが設けられた側面に、案内リブと交差し、前記筐体の外側に向けて突出した補強リブを設けることにより、筐体の剛性を向上させることができる。また、上述したように補強リブよりも案内リブの方が筐体の側面から外側に向けて突出した構成とすることにより、案内リブに沿って流れる水が補強リブに干渉することなく下方に案内されることになり、コネクタ接続部に水が付着するのを確実に防止することができる。
【図面の簡単な説明】
【００１４】
【図１】本発明の一実施形態に係る車両用電子機器を車両側に取り付けた状態を示す斜視図である。
【図２】本発明の一実施形態に係る車両用電子機器を車両側に取り付けた状態を示す側面図である。
【図３】本発明の一実施形態に係る車両用電子機器を示す斜視図である。
【図４】（ａ）〜（ｃ）はそれぞれ車両用電子機器の変形例を示す側面図である。
【図５】（ａ）〜（ｄ）はそれぞれ車両用電子機器の変形例を示す側面図である。
【図６】車両用電子機器の変形例を示す斜視図である。
【発明を実施するための形態】
【００１５】
本発明の一実施形態に係る車両用電子機器１０（以下、単に「電子機器１０」とも称す）について、図面を参照しつつ詳細に説明する。電子機器１０は、例えばＥＣＵ（エンジンコントロールユニット）のような車両に搭載される電子部材を内蔵する機器である。図１や図２に示すように、電子機器１０は、結露等によって水分が発生する可能性のある構造物１２の下方に設置されるものである。本実施形態の電子機器１０は、車両室内の空調用として設けられたエアコンのダクト（構造物１２）の下方に設けられた円筒状のビーム１４に対して固定される。
【００１６】
電子機器１０の筐体２０は樹脂製であり、図２や図３に示すように、車両側への固定に使用される固定部３０と、電子部材が収容される収容部５０とを一体成型したものである。固定部３０は、収容部５０の天面５０ａから上方に向けて延びるように形成されており、後に詳述する収容部５０の側面５０ｃよりも水平方向に飛び出た位置（外れた位置）に存在している。固定部３０には、突起３２や孔３４が設けられている。電子機器１０は、突起３２をビーム１４に形成された孔に挿通させることにより筐体２０を位置決めするとともに、孔３４に挿通されたボルト１８により固定部３０をビーム１４に対して固定させることにより、図２に示すようにビーム１４から吊り下がった状態となるように装着することができる。
【００１７】
収容部５０は、天面５０ａ、底面５０ｂ、及び側面５０ｃ〜５０ｆの６面を備えた略直方体状の外観形状を有するものであり、内部に電子部材を収容するためのスペースを備えている。収容部５０は、側面５０ｃ（以下、「接続面５０ｃ」とも称す）が手前側に向き、側面５０ｆ（以下、「背面５０ｆ」とも称す）が奥側に向くように設置される。接続面５０ｃには、コネクタ接続部２２が設けられている。コネクタ接続部２２には、収容部５０に収容されている電子部材を外部機器に対して電気的に接続するためのコネクタ２４が設けられている。コネクタ２４は、メス型のものであり、図１に示すように、他の機器（図示せず）との間をつなぐための配線７０の端部に設けられたオス型のコネクタ７２を差し込み接続することが可能とされている。
【００１８】
側面５０ｄ及びその裏面側の側面５０ｅは、それぞれ上述した接続面５０ｃに対して左右に位置しており、接続面５０ｃに対して略直交（交差）する面である。図２や図３に示すように、側面５０ｄ，５０ｅには、案内リブ６０と、補強リブ６２とが設けられている。案内リブ６０は、側面５０ｄ，５０ｅから筐体２０（収容部５０）の外側、すなわち図２の紙面に対して鉛直方向に向けて突出している。案内リブ６０は、側面５０ｄ，５０ｅにおいて、接続面５０ｃ側から背面５０ｆ側に向けて下り勾配となるように形成されている。案内リブ６０は、上述した固定部３０の先端部分から連続するように形成されている。
【００１９】
案内リブ６０は、側面５０ｄ，５０ｅを正面視した状態において、上述したコネクタ接続部２２に相当する領域Ｘを上方から覆う位置から下方に向けて略直線的に延びるように形成されている。そのため、案内リブ６０は、コネクタ接続部２２に相当する領域Ｘの上方において、庇のような役割を果たしている。具体的には、図２に示すように、水平面Ｈを想定した場合に、この水平面Ｈ上に領域Ｘを投影することにより形成される投影領域Ａ１が、案内リブ６０を水平面Ｈ上に投影することにより形成される投影領域Ａ２内に含まれている。また、案内リブ６０は、コネクタ接続部２２よりも上方側（天面５０ａ側）の位置から下方に向けて延びるように形成されている。
【００２０】
言い換えれば、案内リブ６０は、コネクタ接続部２２に相当する領域Ｘの上方側であって、領域Ｘの鉛直上方に相当する位置を基準位置Ｙとした場合、この基準位置Ｙよりも筐体２０（接続面５０ｃ）から離れる方向に外れた位置Ｚを起点とし、背面５０ｆ側に向けて下り勾配となるように形成されている。また、案内リブ６０の下端部は、側面５０ｄ，５０ｅの略中心まで到達している。
【００２１】
補強リブ６２は、収容部５０の側面５０ｄ，５０ｅにおいて幅方向に向けて延びるように形成されている。本実施形態では、収容部５０の高さ方向に４本の補強リブ６２が、それぞれ所定の間隔ごとに形成されている。なお、本実施形態では、電子機器１０の搭載スペースを可能な限り抑制しつつ、十分な補強効果を確保し、筐体２０内への水入りを防止するとの観点から、補強リブ６２が側面５０ｄ，５０ｅにおいて収容部５０の上方側の領域に偏って設けた構成とされているが、側面５０ｄ，５０ｅの下方側の領域にも補強リブ６２が設けられていてもよい。
【００２２】
図２や図３に示すように、補強リブ６２は、それぞれ上述した案内リブ６０と交差しているが、案内リブ６０の方が補強リブ６２よりも側面５０ｄ，５０ｅの表面から筐体２０の外側（図２の紙面鉛直方向）に向けて大きく突出している。そのため、仮に上方から落下してきた水が補強リブ６２を伝うようなことがあっても、その流れを案内リブ６０によって遮ることができる。
【００２３】
続いて、本実施形態に係る電子機器１０の取り付け構造について、説明する。図１や図２に示すように、電子機器１０は、筐体２０の上方側に設けられた固定部３０の突起３２を車両側のビーム１４に設けられた孔に差し込むことにより位置決めし、ボルト１８によって固定することにより設置される。これにより、電子機器１０は、筐体２０がビーム１４からつり下げられ、エアコンのダクトなどの構造物１２の下方に配置された状態となる。また、図２に示すように、筐体２０は、手前側に接続面５０ｃが向き、奥側に背面５０ｆが向いた状態となる。また、筐体２０は、背面５０ｆ側が接続面５０ｃよりも持ち上がった状態、言い換えれば接続面５０ｃがやや下方に向けて傾いた状態となる。
【００２４】
上述したようにして電子機器１０がビーム１４に対して取り付けられると、図１に示すようにコネクタ２４に他の機器（図示せず）に繋がる配線７０の端部に設けられたコネクタ７２が差し込まれ、接続される。配線７０は、上方からいったん電子機器１０の筐体２０よりも下方側の位置まで下がった後、上方に向けて立ち上がるように屈曲させた状態とされ、コネクタ７２を斜め下方から上方のコネクタ２４に向けて差し込むようにして電子機器１０側に接続される。このようにして配線７０の中途に最下点となる屈曲部分を形成することにより、仮に配線７０を伝って水が流れた場合であっても、この水がコネクタ２４，７２側に到達するのを防止することができる。
【００２５】
上述したようにして電子機器１０が車両側に取り付けられた場合は、エアコンの作動により構造物１２（ダクト）側から水分が電子機器１０側に落下してきても、この水分がコネクタ接続部２２（コネクタ２４，７２）側に向けて流れてしまうのを防止することができる。すなわち、構造物１２側から水滴が落下してくる経路としては、図２に矢印Ｃ１によって示すように構造物１２から直接筐体２０側に落下してくる経路（以下、「直接滴下経路」とも称す）と、矢印Ｃ２で示すように構造物１２からビーム１４や固定部３０の表面を伝って筐体２０側に落下してくる経路（以下、「表面伝達経路」とも称す）とが想定されるが、これらのいずれの経路で落下してくる場合であっても、水滴がコネクタ接続部２２に付着するのを防止することができる。
【００２６】
さらに詳細に説明すると、上述したように、案内リブ６０は、筐体２０を側面５０ｄ，５０ｅ側から視認した状態において、コネクタ接続部２２に相当する領域Ｘを上方から覆う位置から下方に延びるように形成されている。したがって、案内リブ６０は、コネクタ接続部２２に対して水除けとして機能し、コネクタ接続部２２に水が付着するのを防止することができる。また、案内リブ６０が接続面５０ｃ側から背面５０ｆ側に向けて下り勾配となるように形成されており、側面５０ｄ，５０ｅの略中央部分にまで至っているため、上述した直接落下経路で落下してきた水滴をコネクタ接続部２２から離れる方向に向けてスムーズに案内し、排除することができる。
【００２７】
図２に示すように、接続面５０ｃが下方に向けて傾くように設置すると、収容部５０の側面５０ｄ，５０ｅにおいて接続面５０ｃ側から背面５０ｆ側に向けて延びるように設けられている補強リブ６２が接続面５０ｃ側に向けて下り勾配を有する状態となる。しかし、上述した案内リブ６０が補強リブ６２の中途において交差しており、さらに案内リブ６０が補強リブ６２よりも側面５０ｄ，５０ｅから外側に突出しているため、仮に補強リブ６２に水滴が付着した場合であっても、この水滴の流れが案内リブ６０によって遮られ、コネクタ接続部２２には到達しない。したがって、電子機器１０を上述したように装着することにより、構造物１２から上述した直接落下経路を経て落下してきてた水滴がコネクタ接続部２２に付着するのを防止することができる。
【００２８】
また、案内リブ６０が固定部３０から形成されているため、上述した表面伝達経路を経て水滴が収容部５０側に伝達してくる場合にについても、水滴がコネクタ接続部２２に付着するのを防止することができる。したがって、上述した直接落下経路及び表面伝達経路のいずれの経路を経て水滴が流れたとしても、この水滴がコネクタ接続部２２に至るのを防止することができる。
【００２９】
上述したように、電子機器１０は、従来技術のようにシートやカバーを取り付ける等の防水対策を施さなくてもコネクタ接続部２２を防水することができる。したがって、電子機器１０は、防水対策を別途施さなくてもよい分だけ製造コストを抑制し、取り付け作業の省力化を図ることが可能である。
【００３０】
本実施形態の電子機器１０は、案内リブ６０が固定部３０の略先端部分（位置Ｚ）を起点として下方側に向けて延びるように形成されたものであったが、本発明はこれに限定されるものではなく、固定部３０の中途を起点とするものであってもよい。また、筐体２０の傾斜等によっては、図４（ａ）に示すように固定部３０に案内リブ６０を設けず、筐体２０の上端側を起点として案内リブ６０が形成されたものであってもよい。かかる構成とした場合であっても、コネクタ接続部２２に相当する領域Ｘを上方から覆う位置から下方に延びるように形成することにより、構造物１２側から落下してくる水がコネクタ接続部２２に付着するのを確実に防止できる。
【００３１】
本実施形態では、案内リブ６０の下端部が側面５０ｄ，５０ｅの略中心に位置する例を例示したが、本発明はこれに限定されるものではなく、図５（ａ）に示すようにさらに下方側まで延びるように形成されていてもよい。また、案内リブ６０は、必ずしも直線的に延びるものである必要はなく、例えば図５（ｂ），（ｃ）に示すように湾曲した形状のものや、図５（ｄ）に示すように屈曲したものなど、適宜の形状とすることが可能である。また、本実施形態では、側面５０ｄ，５０ｅの双方に同一形状の案内リブ６０を設けた構成を例示したが、本発明はこれに限定されるものではなく、異なる形状の案内リブ６０を設けてもよい。
【００３２】
本実施形態の電子機器１０は、補強リブ６２が案内リブ６０と交差するように設けられているため、筐体２０の剛性が高い。さらに、補強リブ６２よりも案内リブ６０の方が側面５０ｄ，５０ｅの表面から筐体２０の外側に突出しているため、案内リブ６０に沿って流れる水が補強リブに干渉することなく下方に向けて案内され、排出されることになり、コネクタ接続部２２に水が付着するのを確実に防止することができる。
【００３３】
なお、本実施形態では、側面５０ｄ，５０ｅに補強リブ６２を設けた構成を例示したが、本発明はこれに限定されるものではなく、例えば充分な剛性が確保できる場合などは、補強リブ６２を備えていないものとしてもよい。また、補強リブ６２に相当するものを側面５０ｄ，５０ｅの内側に設けるなどして筐体２０を補強し、側面５０ｄ，５０ｅの表面側に補強リブ６２を設けない構成であってもよい。
【００３４】
また、補強リブ６２は、側面５０ｄ，５０ｅにおいて略水平方向に延びるように形成されたものであったが、本発明はこれに限定される訳ではなく、いかなる角度で設けられていてもよい。具体的には、本実施形態で示したものは車両側に取り付けた際に補強リブ６２がコネクタ接続部２２側に向けて傾いた状態になるものであったが、図４（ｂ）に示すように、電子機器１０を車両側に取り付けた状態において補強リブ６２が略水平になるものや、図４（ｃ）に示すように補強リブ６２が背面５０ｆ側に向けて傾いた状態になるものであってもよい。かかる構成とすることにより、仮に補強リブ６２に水が付着した場合であっても、この水がコネクタ接続部２２側に流れてしまうのを防止することができる。
【００３５】
本実施形態では、電子機器１０に対して配線７０を下方側から立ち上がるように屈曲させ、コネクタ７２をコネクタ２４に接続することを考慮し、コネクタ接続部２２が下方に向けて傾斜するように筐体２０を設置する例を例示したが、本発明はこれに限定されるものではない。具体的には、図４（ｂ）に示すように、コネクタ接続部２２が上方に向けて傾斜するように設置されるものであってもよく、図４（ｃ）に示すようにコネクタ接続部２２が略鉛直となるように設置されるものであってもよい。図４（ｂ），（ｃ）に示すような姿勢で筐体２０が設置される場合についても、コネクタ接続部２２に相当する領域Ｘを上方から覆う位置から下方に延びるように形成することにより、構造物１２側から落下してくる水がコネクタ接続部２２側に流れて付着することを防止できる。
【００３６】
本実施形態で示した筐体２０は、収容部５０と固定部３０とが一体的に形成されたものであったが、本発明はこれに限定されるものではなく、両者が別々に構成されていてもよい。また、収容部５０は、複数の部材によって構成されるものであっても良い。具体的には、図６に示すように上述した筐体２０を正面側および背面側の側面５０ｃ、５０ｆを取り除いた筒状の部材からなる本体ユニット８０と、電子部材を内蔵しコネクタ接続部２２に相当する部分を備えた電子部材ユニット８２とによって構成し、電子部材ユニット８２を本体ユニット８０に差し込んで一体化することにより筐体２０を構成するものとしてもよい。かかる構成とする場合についても、本実施形態の電子機器１０と同様に構造物１２側から落下して来た水がコネクタ接続部２２に付着し、故障等するのを防止することが可能となる。
【００３７】
本実施形態では、固定部３０が筐体２０において収容部５０の天面５０ａ側に設けられ、収容部５０が吊り下がるように設置可能なものを例示したが、本発明はこれに限定されるものではなく、固定部３０と同様に筐体２０を車両側に固定するための構成を底面５０ｂや他の側面５０ｃ〜５０ｆなどに設けた構成としてもよい。
【符号の説明】
【００３８】
１０              車両用電子機器（電子機器）
２０              筐体
２２              コネクタ接続部
２４              コネクタ
３０              固定部
５０              収容部
５０ａ            天面
５０ｃ            側面（接続面）
５０ｄ，５０ｅ    側面
６０              案内リブ
６２              補強リブ
【図２】
0005614998.tif 000002
【図３】
0005614998.tif 000003
【図４】
0005614998.tif 000004
【図５】
0005614998.tif 000005
【図６】
0005614998.tif 000006
【図１】
0005614998.tif 000007